(57)【要約】【課題】本発明は操作者の身長や車椅子等の使用の有無に応じて原稿読取部と操作部の高さ位置を小型で設置スペースが小さくかつ安価に調整する画像処理装置を提供する。【解決手段】複写装置１は、原稿の画像を読み取る原稿読取部３と、原稿読取部３の読み取った原稿の画像を記録紙に記録出力する画像形成部７と、各種操作を行う操作部２０と、を備え、原稿読取部３が、画像形成部７を含む本体部２の上部に本体部２とは独立して配設されていて、移動機構１６が、原稿読取部３と操作部２０を一体的に支持して、本体部２の上部から正面に沿って下降した第１位置に自動的に移動させ、さらに、第１位置からさらに下降した第２位置までの間の任意の位置に手動で移動させる。したがって、大きな設置スペースを必要とすることなく、車椅子等を利用した操作者にとっても操作を容易に行える位置に、原稿読取部３と操作部２０を一体的に移動できる。【選択図】          図１
2005086751.tif 000002
【特許請求の範囲】
【請求項１】
原稿の画像を読み取る原稿読取部と、当該原稿読取部の読み取った原稿の画像を記録紙に記録出力する画像形成部と、各種操作を行う操作部と、を備え、前記原稿読取部が、前記画像形成部を含む本体部の上部に当該本体部とは独立して配設されている画像処理装置であって、前記原稿読取部と前記操作部を一体的に支持して、前記本体部の上部から正面に沿って下降した第１位置に自動的に移動させる第１位置移動処理を行うとともに、当該第１位置からさらに下降した第２位置までの間の任意の位置に手動で移動させる第２位置移動処理を行う移動機構を備えていることを特徴とする画像処理装置。
【請求項２】
前記移動機構は、前記第１位置から前記第２位置までの間の任意の位置で前記原稿読取部を固定させる固定機構を備え、前記画像処理装置は、前記第１位置移動処理の実行を指示操作する指示操作手段が、前記本体部の側面に設けられ、前記第２位置移動処理実行後の前記原稿読取部を前記固定機構に固定させる固定指示手段が、前記操作部に設けられていることを特徴とする請求項１記載の画像処理装置。
【請求項３】
前記移動機構は、前記本体部の両側面に配設された１対の支持部材と、当該各支持部材の基端部を前記本体部の上方向と正面方向との間で回動可能に前記本体部に取り付ける回動手段と、当該回動手段を介して前記支持部材を前記本体部への取付部分で回動させる回動駆動手段と、前記各支持部材の先端部に回動可能に取り付けられ前記原稿読取部を水平状態に保持する保持部材と、を備えていることを特徴とする請求項１または請求項２記載の画像処理装置。
【請求項４】
前記移動機構は、前記回動手段の前記本体部に対する高さ方向の取り付け位置を移動可能に当該回動手段を保持する保持機構を備え、当該保持機構で前記回動手段の高さ位置を変化させて、前記第１位置から前記第２位置の間の任意の位置に前記原稿読取部を移動させることを特徴とする請求項３記載の画像処理装置。
【請求項５】
前記画像処理装置は、前記第１位置から前記第２位置までの間の任意の位置を指定する位置指定手段をさらに備え、前記移動機構は、前記原稿読取部を前記第１位置から前記第２位置の間を自動で移動させる上下駆動手段を備え、前記位置指定手段で指定された位置に前記上下駆動手段で前記原稿読取部を移動させることを特徴とする請求項１から請求項４のいずれかに記載の画像処理装置。
【発明の詳細な説明】
【技術分野】
【０００１】
本発明は、画像処理装置に関し、詳細には、操作者の身長や車椅子等の使用の有無に応じて原稿読取部と操作部の高さ位置を小型で設置スペースが小さくかつ安価に調整する画像処理装置に関する。
【背景技術】
【０００２】
近年、公共機関、職場、家庭等のあらゆる場所でバリアフリー化が進み、建築物だけでなく、建築物内で使用される家電、情報機器等においても、バリアフリー化が要望されている。
【０００３】
そして、身障者の社会進出といった社会構造の変化に伴って、公共機関・職場等に設置される機器に対しても、身障者にも対応したユーザインタフェース設計が求められている。
【０００４】
ところが、現在普及している複写装置やプリンタ等のＯＡ（Office Automation ）機器は、操作部の高さが平均的な身長の者を基準として設定され、かつ、その高さも固定されているのが一般的である。例えば、従来の複写機は、身長１５０ｃｍ程度以上の人が操作することを考慮して、操作部や原稿読取装置は、床から９０〜１００ｃｍの高さに設計されている。
【０００５】
したがって、操作者の身長や車椅子（車椅子に類似の移動装置を含む）の使用有無等によって、操作部の使用性が悪いという問題があった。
【０００６】
そして、従来、画像形成装置を載置し、昇降可能な昇降台と、前記昇降台を上下に駆動する駆動手段と、前記昇降台を上下させる指示を入力する入力手段と、前記入力手段から入力した指示に応じて前記駆動手段を上下に駆動させる制御手段と、を有する昇降装置が提案されている（特許文献１参照）。
【０００７】
また、従来、画像形成装置本体の上方に別体で原稿読取装置を配置した画像形成装置において、前記上方の第１位置に配置した前記原稿読取装置を、前記画像形成装置本体を正面より見て横方向に移動後、前記画像形成装置本体の左側面または右側面の近傍に沿って下降した第２位置に移動可能な読取装置可動台と、前記原稿読取装置を前記第１位置と前記第２位置に移動可能に前記読取装置可動台を駆動制御する制御手段と、を備えた画像形成装置が提案されている（特許文献２参照）。
【０００８】
さらに、本出願人は、先に、原稿画像を読み取る画像読みユニットの下部に書き込みユニットを配し、記録媒体に画像を形成する作像部を備える画像形成装置において、上記画像読み取りユニットを装置本体に対して水平回動可能としてなる画像形成装置を提案している（特許文献３参照）。
【０００９】
【特許文献１】特開平６−１４８９６４号公報
【特許文献２】特開２００２−１４２０５２号公報
【特許文献３】特開２００２−１３５４９１号公報
【発明の開示】
【発明が解決しようとする課題】
【００１０】
しかしながら、上記各公報記載の従来技術にあっては、小型・省スペースでかつ安価に利用性を向上させる上で、改良の必要があった。
【００１１】
すなわち、特許文献１記載の従来技術にあっては、機器本体全体を昇降させているため、昇降機構が大型で高価なものとなり、ひいては機器が大型で高価なものになるという問題があった。
【００１２】
また、特許文献２記載の従来技術にあっては、原稿読取装置台に原稿読取装置を積載し移動可能な画像形成装置を提案しているが、この場合、画像形成装置本体正面に対して、両側面部に移動するために、大きな設置スペースが必要になるという問題があった。
【００１３】
さらに、特許文献３記載の従来技術にあっては、画像読み取りユニットを装置本体に対して水平回動可能としているため、水平方向については、操作性を向上させることはできるが、上下方向については、考慮されておらず、改良の必要があった。
【００１４】
そこで、請求項１記載の発明は、原稿の画像を読み取る原稿読取部と、当該原稿読取部の読み取った原稿の画像を記録紙に記録出力する画像形成部と、各種操作を行う操作部と、を備え、原稿読取部が、画像形成部を含む本体部の上部に当該本体部とは独立して配設されていて、移動機構が、原稿読取部と操作部を一体的に支持して、本体部の上部から正面に沿って下降した第１位置に自動的に移動させる第１位置移動処理を行うとともに、当該第１位置からさらに下降した第２位置までの間の任意の位置に手動で移動させる第２位置移動処理を行うことにより、大きな設置スペースを必要とすることなく、小型でかつ安価に、車椅子等を利用した操作者にとっても操作を容易に行える位置に、原稿読取部と操作部を一体的に容易に移動できるようにし、利用性の良好な安価で小型の画像処理装置を提供することを目的としている。
【００１５】
請求項２記載の発明は、移動機構を、第１位置から第２位置までの間の任意の位置で原稿読取部を固定させる固定機構を備えたものとし、第１位置移動処理の実行を指示操作する指示操作手段を、本体部の側面に設け、第２位置移動処理実行後の原稿読取部を固定機構に固定させる固定指示手段を、操作部に設けることにより、車椅子等を利用した操作者がより一層容易に操作できるようにするとともに、原稿読取部と操作部を操作位置に固定させて安全性を向上させ、より一層利用性の良好な安価で小型の画像処理装置を提供することを目的としている。
【００１６】
請求項３記載の発明は、移動機構を、本体部の両側面に配設された１対の支持部材と、当該各支持部材の基端部を本体部の上方向と正面方向との間で回動可能に本体部に取り付ける回動手段と、当該回動手段を介して支持部材を本体部への取付部分で回動させる回動駆動手段と、各支持部材の先端部に回動可能に取り付けられ原稿読取部を水平状態に保持する保持部材と、を備えたものとすることにより、スペースがより一層小さく、より一層小型でかつ安価に、原稿読取部と操作部を一体的に容易に移動できるようにし、利用性の良好なより一層安価でより一層小型の画像処理装置を提供することを目的としている。
【００１７】
請求項４記載の発明は、移動機構を、回動手段の本体部に対する高さ方向の取り付け位置を移動可能に当該回動手段を保持する保持機構を備えたものとし、当該保持機構で回動手段の高さ位置を変化させて、第１位置から第２位置の間の任意の位置に原稿読取部を移動させることにより、簡単な構成で原稿読取部と操作部を第１位置から第２位置の間の任意の位置に移動させ、利用性のより一層良好なより一層安価でより一層小型の画像処理装置を提供することを目的としている。
【００１８】
請求項５記載の発明は、第１位置から第２位置までの間の任意の位置を指定する位置指定手段を設け、移動機構を、原稿読取部を第１位置から第２位置の間を自動で移動させる上下駆動手段を備えたものとし、当該位置指定手段で指定された位置に上下駆動手段で原稿読取部を移動させることにより、車椅子等を利用した操作者がより一層容易に操作できるようにし、より一層利用性の良好な安価で小型の画像処理装置を提供することを目的としている。
【課題を解決するための手段】
【００１９】
請求項１記載の発明の画像処理装置は、原稿の画像を読み取る原稿読取部と、当該原稿読取部の読み取った原稿の画像を記録紙に記録出力する画像形成部と、各種操作を行う操作部と、を備え、前記原稿読取部が、前記画像形成部を含む本体部の上部に当該本体部とは独立して配設されている画像処理装置であって、前記原稿読取部と前記操作部を一体的に支持して、前記本体部の上部から正面に沿って下降した第１位置に自動的に移動させる第１位置移動処理を行うとともに、当該第１位置からさらに下降した第２位置までの間の任意の位置に手動で移動させる第２位置移動処理を行う移動機構を備えていることにより、上記目的を達成している。
【００２０】
この場合、例えば、請求項２に記載するように、前記移動機構は、前記第１位置から前記第２位置までの間の任意の位置で前記原稿読取部を固定させる固定機構を備え、前記画像処理装置は、前記第１位置移動処理の実行を指示操作する指示操作手段が、前記本体部の側面に設けられ、前記第２位置移動処理実行後の前記原稿読取部を前記固定機構に固定させる固定指示手段が、前記操作部に設けられているものであってもよい。
【００２１】
また、例えば、請求項３に記載するように、前記移動機構は、前記本体部の両側面に配設された１対の支持部材と、当該各支持部材の基端部を前記本体部の上方向と正面方向との間で回動可能に前記本体部に取り付ける回動手段と、当該回動手段を介して前記支持部材を前記本体部への取付部分で回動させる回動駆動手段と、前記各支持部材の先端部に回動可能に取り付けられ前記原稿読取部を水平状態に保持する保持部材と、を備えたものであってもよい。
【００２２】
さらに、例えば、請求項４に記載するように、前記移動機構は、前記回動手段の前記本体部に対する高さ方向の取り付け位置を移動可能に当該回動手段を保持する保持機構を備え、当該保持機構で前記回動手段の高さ位置を変化させて、前記第１位置から前記第２位置の間の任意の位置に前記原稿読取部を移動させるものであってもよい。
【００２３】
また、例えば、請求項５に記載するように、前記画像処理装置は、前記第１位置から前記第２位置までの間の任意の位置を指定する位置指定手段をさらに備え、前記移動機構は、前記原稿読取部を前記第１位置から前記第２位置の間を自動で移動させる上下駆動手段を備え、前記位置指定手段で指定された位置に前記上下駆動手段で前記原稿読取部を移動させるものであってもよい。
【発明の効果】
【００２４】
請求項１記載の発明の画像処理装置によれば、原稿の画像を読み取る原稿読取部と、当該原稿読取部の読み取った原稿の画像を記録紙に記録出力する画像形成部と、各種操作を行う操作部と、を備え、原稿読取部が、画像形成部を含む本体部の上部に当該本体部とは独立して配設されていて、移動機構が、原稿読取部と操作部を一体的に支持して、本体部の上部から正面に沿って下降した第１位置に自動的に移動させる第１位置移動処理を行うとともに、当該第１位置からさらに下降した第２位置までの間の任意の位置に手動で移動させる第２位置移動処理を行うので、大きな設置スペースを必要とすることなく、小型でかつ安価に、車椅子等を利用した操作者にとっても操作を容易に行える位置に、原稿読取部と操作部を一体的に容易に移動できるようにすることができ、利用性を向上させることができるとともに、画像処理装置を安価で小型なものとすることができる。
【００２５】
請求項２記載の発明の画像処理装置によれば、移動機構を、第１位置から第２位置までの間の任意の位置で原稿読取部を固定させる固定機構を備えたものとし、第１位置移動処理の実行を指示操作する指示操作手段を、本体部の側面に設け、第２位置移動処理実行後の原稿読取部を固定機構に固定させる固定指示手段を、操作部に設けているので、車椅子等を利用した操作者がより一層容易に操作できるようにすることができるとともに、原稿読取部と操作部を操作位置に固定させて安全性を向上させることができ、より一層利用性を向上させることができるとともに、画像処理装置を安価で小型なものとすることができる。
【００２６】
請求項３記載の発明の画像処理装置によれば、移動機構を、本体部の両側面に配設された１対の支持部材と、当該各支持部材の基端部を本体部の上方向と正面方向との間で回動可能に本体部に取り付ける回動手段と、当該回動手段を介して支持部材を本体部への取付部分で回動させる回動駆動手段と、各支持部材の先端部に回動可能に取り付けられ原稿読取部を水平状態に保持する保持部材と、を備えたものとしているので、スペースがより一層小さく、より一層小型でかつ安価に、原稿読取部と操作部を一体的に容易に移動できるようにすることができ、利用性を向上させることができるとともに、画像処理装置をより一層安価でより一層小型なものとすることができる。
【００２７】
請求項４記載の発明の画像処理装置によれば、移動機構を、回動手段の本体部に対する高さ方向の取り付け位置を移動可能に当該回動手段を保持する保持機構を備えたものとし、当該保持機構で回動手段の高さ位置を変化させて、第１位置から第２位置の間の任意の位置に原稿読取部を移動させるので、簡単な構成で原稿読取部と操作部を第１位置から第２位置の間の任意の位置に移動させることができ、利用性をより一層向上させることができるとともに、画像処理装置をより一層安価でより一層小型なものとすることができる。
【００２８】
請求項５記載の発明の画像処理装置によれば、第１位置から第２位置までの間の任意の位置を指定する位置指定手段を設け、移動機構を、原稿読取部を第１位置から第２位置の間を自動で移動させる上下駆動手段を備えたものとし、当該位置指定手段で指定された位置に上下駆動手段で原稿読取部を移動させるので、車椅子等を利用した操作者がより一層容易に操作できるようにすることができ、より一層利用性を向上させることができるとともに、画像処理装置を安価で小型なものとすることができる。
【発明を実施するための最良の形態】
【００２９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３０】
図１〜図６は、本発明の画像処理装置の第１実施例を示す図であり、図１は、本発明の画像処理装置の第１実施例を適用した複写装置１の外観正面図、図２は、図１の複写装置１の側面図である。
【００３１】
図１及び図２において、複写装置１は、本体部２の上部に、所定の間隔を空けて原稿読取部３が配設されており、原稿読取部３は、本体部２の背面から上部に架けて略Ｌ字状に設けられた読取部台４の上面部に載置され、その前後方向略中央部の両側面には、回転支持部５が取り付けられて、当該回転支持部５に支持されている。
【００３２】
本体部２は、その下部に、給紙部６が設けられており、給紙部６の上部に画像形成部７が設けられている。給紙部６には、複数、本実施例では、３つの給紙トレイ６ａ〜６ｃが設けられており、給紙部６は、複数の給紙トレイ６ａ〜６ｃのうち１つから記録紙を画像形成部７に搬送する。画像形成部７は、原稿読取部３の読み取った原稿の画像に基づいて給紙部６から搬送されてきた記録紙に画像を記録する。
【００３３】
原稿読取部３には、その上部に複数枚の原稿を１枚ずつ分離して原稿読取部３の原稿読取位置に搬送するＡＤＦ（Auto Document Fieder）８が設けられており、原稿読取部３は、ＡＤＦ８により原稿読取位置に搬送されてくる原稿または直接原稿読取位置にセットされた原稿を主走査及び副走査して原稿の画像を所定の解像度で読み取って、読み取った原稿の画像データを画像形成部７に出力する。
【００３４】
本体部２の両側面には、当該本体部２の前後方向略中央部に、本体部２の縦方向に所定長さにわたって移動枠（保持機構）１０が形成されており、移動枠１０は、アーム支持部（回動手段）１１が本体部２の縦方向に移動可能に支持している。アーム支持部１１は、回転部１２を介して本体部２の縦方向に所定長さを有するアーム（支持部材）１３が複写装置１の前後方向に回転可能に連結されており、アーム１３の上端部には、回転部１４を介して複写装置１の前後方向に回転可能に読取部支持部（保持部材）１５が連結されている。読取部支持部１５は、その先端部が原稿読取部３に固定されており、原稿読取部３は、移動枠１０、アーム支持部１１、回転部１２、アーム１３、回転部１４及び読取部支持部１５からなる移動機構１６により前後方向及び上下方向に移動可能に支持されている。移動機構１６は、原稿読取部３を、読取部台４上の位置から複写装置１の正面側の所定高さの第１位置に回転移動させるとともに、当該第１位置からさらに下方向の第２位置までの間の操作者の意図する任意の高さ位置まで段階的に下降移動させる。なお、この第１位置は、例えば、複写装置１の設置されている床面から８０８０ｃｍの高さ位置である。
【００３５】
また、移動機構１６は、その動作を固定して原稿読取部３の位置を固定する固定機構を内蔵している。
【００３６】
そして、原稿読取部３には、複写装置１の操作を行うための操作部２０が固定されており、操作部２０は、移動機構１６により原稿読取部３が移動されると、原稿読取部３とともに一体的に移動する。
【００３７】
また、本体部２の左側側面または／及び右側側面（本実施例では、複写装置１の正面側から複写装置１に向かって左側側面）には、操作パネル３０が設けられており、操作パネル３０には、図３に示すように、スイッチ（指示操作手段、固定指示手段）３１、移動禁止ランプ３２及び移動中ランプ３３が設けられている。
【００３８】
複写装置１は、操作パネル３０のスイッチ３１がオン操作されると、移動機構１６を駆動させて、原稿読取部３を、上述のように、まず、読取部台４上の位置から複写装置１の正面側の所定高さの第１位置に回転移動させ、その後、操作者の手動操作に応じて、当該第１位置からさらに下方向の第２位置までの間の操作者の意図する任意の高さ位置まで段階的に下降移動させる。
【００３９】
次に、本実施例の作用を説明する。本実施例の複写装置１は、操作者の身体状態に合わせて原稿読取部３と操作部２０を一体的に第１位置及び第２位置へと容易に移動調整する。
【００４０】
すなわち、複写装置１は、操作者が車椅子等や身長の低い人である場合、本体部２の側面に設けられている操作パネル３０のスイッチ３１をオン操作すると、まず、操作部２０が一体となっている原稿読取部３を第１位置に移動させる第１位置移動処理を行う。
【００４１】
すなわち、複写装置１は、スイッチ３１がオンされると、まず、アーム支持部１１を移動枠１０内で、上方に移動させて、図４に矢印で示すように、操作部２０が一体となっている原稿読取部３を読取部台４上から上方に持ち上げ、次に、回転部１２を図示しない駆動モータ等で回転駆動させて、図５に示すように、原稿読取部３を支持するアーム１３を図４の真上の位置から複写装置１の正面方向に回転させ、原稿読取部３を、図５に破線で示す円に沿って、複写装置１の正面方向に移動させる。アーム１３が水平となる位置を第１位置として、当該第１位置に原稿読取部３が移動してくると、原稿読取部３の移動を停止させる。そして、この一連の原稿読取部３の移動において、複写装置１は、回転部１２を中心とするアーム１３の回転に伴って、回転部１４を連動させて回転させ、常に、原稿読取部３を水平方向に維持する。
【００４２】
原稿読取部３が第１位置に移動した状態で、原稿読取部３は、図６に示すように、例えば、車椅子４０に乗った操作者Ｐが手の届く位置となっており、操作者Ｐは、手操作で原稿読取部３を上下移動させて、第１位置と第２位置の間の操作しやすい操作位置に移動する。このとき、原稿読取部３を支持するアーム１３は、水平状態を維持したまま、当該アーム１３を保持するアーム支持部１１が移動枠１０内を上下方向に移動して、原稿読取部３の上下位置を調整し、アーム支持部１１は、移動枠１０内を段階的に移動して高さ位置調整が可能となっている。
【００４３】
そして、操作者Ｐは、操作しやすい第２位置まで原稿読取部３を移動させると、操作部２０の特定のキーである固定キー（図示略）を操作する。
【００４４】
複写装置１は、操作部の固定キーが操作されると、原稿読取部３を当該第２位置に固定させる。
【００４５】
そして、この原稿読取部３には、操作部２０が一体的に固定されているため、原稿読取部３の移動に伴って、操作部２０が一体的に移動し、原稿読取部３が第１位置及び第２位置に移動すると、操作部２０も第１位置及び第２位置（操作位置）に移動して、操作者Ｐは、操作部２０を適切に操作することができる。
【００４６】
このように、本実施例の複写装置１は、原稿の画像を読み取る原稿読取部３と、当該原稿読取部３の読み取った原稿の画像を記録紙に記録出力する画像形成部７と、各種操作を行う操作部２０と、を備え、原稿読取部３が、画像形成部７を含む本体部２の上部に当該本体部２とは独立して配設されていて、移動機構１６が、原稿読取部３と操作部２０を一体的に支持して、本体部２の上部から正面に沿って下降した第１位置に自動的に移動させる第１位置移動処理を行うとともに、当該第１位置からさらに下降した第２位置までの間の任意の位置に手動で移動させる第２位置移動処理を行っている。
【００４７】
したがって、大きな設置スペースを必要とすることなく、小型でかつ安価に、車椅子４０等を利用した操作者Ｐにとっても操作を容易に行える位置に、原稿読取部３と操作部２０を一体的に容易に移動できるようにすることができ、利用性を向上させることができるとともに、複写装置１を安価で小型なものとすることができる。
【００４８】
また、本実施例の複写装置１は、移動機構１６を、第１位置から第２位置までの間の任意の位置で原稿読取部３を固定させる固定機構を備えたものとし、第１位置移動処理の実行を指示操作する操作パネル３０を、本体部２の側面に設け、第２位置移動処理実行後の原稿読取部３を固定機構に固定させる固定キーを、操作部２０に設けている。
【００４９】
したがって、車椅子４０等を利用した操作者Ｐがより一層容易に操作できるようにすることができるとともに、原稿読取部３と操作部２０を操作位置に固定させて安全性を向上させることができ、より一層利用性を向上させることができるとともに、複写装置１を安価で小型なものとすることができる。
【００５０】
さらに、本実施例の複写装置１は、移動機構１６を、本体部２の両側面に配設された１対の支持部材であるアーム１３と、各アーム１３の基端部を本体部２の上方向と正面方向との間で回動可能に本体部２に取り付けるアーム支持部１１と、アーム支持部１１を介してアーム１３を本体部２への取付部分で回動させる回転部１２及び駆動モータ等の回動駆動手段と、各アーム１３の先端部に回動可能に取り付けられ原稿読取部３を水平状態に保持する読取部支持部１５と、を備えたものとしている。
【００５１】
したがって、スペースがより一層小さく、より一層小型でかつ安価に、原稿読取部３と操作部２０を一体的に容易に移動できるようにすることができ、利用性を向上させることができるとともに、複写装置１をより一層安価でより一層小型なものとすることができる。
【００５２】
また、本実施例の複写装置１は、移動機構１６を、アーム支持部１１の本体部２に対する高さ方向の取り付け位置を移動可能に当該アーム支持部１１を保持する移動枠１０を備えたものとし、移動枠１０でアーム支持部１１の高さ位置を変化させて、第１位置から第２位置の間の任意の位置に原稿読取部３を移動させている。
【００５３】
したがって、簡単な構成で原稿読取部３と操作部２０を第１位置から第２位置の間の任意の位置に移動させることができ、利用性をより一層向上させることができるとともに、複写装置１をより一層安価でより一層小型なものとすることができる。
【００５４】
なお、上記説明では、原稿読取部３の第１位置から第２位置への移動を操作者Ｐが手動操作で移動させているが、自動的に移動させてもよい。この場合、第１位置に原稿読取部３が移動すると、操作者Ｐが操作パネル３０のスイッチ３１をオン／オフ操作することで、アーム支持部１１を駆動させる駆動モータを制御して、原稿読取部３を上昇、下降させて、位置調整する。
【実施例２】
【００５５】
図７〜図１１は、本発明の画像処理装置の第２実施例を示す図であり、図７は、本発明の画像処理装置の第２実施例を適用した複写装置の操作部２０の概略平面図である。
【００５６】
なお、本実施例は、上記第１実施例の複写装置１と同様の複写装置に適用したものであり、本実施例の説明においては、必要に応じて、図示しない部分についても、上記第１実施例の説明で用いた符号をそのまま用いて説明する。
【００５７】
図７において、操作部２０は、テンキー２１、スタートキー２２等の各種キーが設けられているとともに、位置指定キーとしての第２位置移動キー２３と復帰キー２４が設けられており、さらに、液晶ディスプレイ２５が設けられている。
【００５８】
操作部２０は、テンキー２１等の各種キーを用いて複写装置１に各種動作を行わせるのに必要な命令操作が行われ、液晶ディスプレイ２５には、各種キーから入力された操作内容や複写装置１から操作者に通知する各種情報を表示出力する。
【００５９】
そして、第２位置移動キー２３は、原稿読取部３が第１位置に移動した後に第２位置方向へ移動させ、その後、停止固定させるのに使用され、復帰キー２４は、原稿読取部３が第１位置に移動した後に、読取部台４上である元位置に復帰させるのに使用される。
【００６０】
また、複写装置１は、図示しないが、本体部２と原稿読取部３に障害物検知センサが取り付けられており、障害物検知センサは、原稿読取部３の移動範囲に障害物があるか否かを検出する。複写装置１は、障害物検知センサが障害物を検出すると、原稿読取部３の移動を禁止する。
【００６１】
さらに、複写装置１は、本体部２に原稿読取部３の位置を検出する位置検知センサが取り付けられており、この位置検知センサの検出結果で、原稿読取部３の位置、特に、第１位置への移動を検出する。
【００６２】
上記障害物検知センサ及び位置検知センサとしては、例えば、光検知センサや圧力センサ等を用いることができる。
【００６３】
さらに、移動機構１６は、図示しないが、第１位置から第２位置の間の任意の位置に原稿読取部３を移動させる上下駆動機構（上下駆動手段）を内蔵している。
【００６４】
そして、本実施例の複写装置１は、図８に示すように、待機状態で、操作パネル３０のスイッチ３１の操作が行われることなく、操作部等で何らかの操作が行わると（ステップＳ１０１）、操作者は車椅子等の使用者等ではなく、通常の身長の健常者であると見なして、通常の動作処理を行う（ステップＳ１０２）。
【００６５】
ステップＳ１０１で、操作パネル３０のスイッチ３１が操作されると、操作者が車椅子等の利用者等であると判断して、複写装置１は、障害物検知センサの検出結果から原稿読取部３の移動範囲に障害物があるか判断し（ステップＳ１０３）、障害物があるときには、操作パネル３０の移動禁止ランプ３２を点灯させるとともに、操作部２０の液晶ディスプレイ２５に、例えば、図９に示すように、「障害物があるため移動を禁止します」等のメッセージの表示を行う（ステップＳ１０４）。
【００６６】
障害物が取り除かれるか、障害物が最初から無く、ステップＳ１０３で、移動範囲に障害物がないときには、複写装置１は、原稿読取部３の第１位置への移動を開始し（ステップＳ１０５）、まず、アーム支持部１１を移動枠１０内で、上方に移動させて、操作部２０が一体となっている原稿読取部３を読取部台４上から上方に持ち上げ、次に、回転部１２を図示しない駆動モータ等で回転駆動させて、原稿読取部３を支持するアーム１３を図４に示した真上の位置から複写装置１の正面方向に回転させ、原稿読取部３を、複写装置１の正面方向に移動させる。
【００６７】
複写装置１は、アーム１３が水平となる位置を第１位置として、当該第１位置への原稿読取部３の移動が完了したかを、位置検知センサの検出結果で判断し（ステップＳ１０６）、第１位置への移動が完了していない間は、操作パネル３０の移動中ランプ３３を点灯させるとともに、操作部２０の液晶ディスプレイ２５に移動中であることを示す表示、例えば、図１０に示すように、「ただいま移動中です」の表示を行う（ステップＳ１０７）。
【００６８】
ステップＳ１０６で、原稿読取部３の第１位置への移動が完了すると、複写装置１は、原稿読取部３の移動を停止させて、操作部２０の第２位置移動キー２３が操作されたか（原稿読取部３の第２位置への移動を指示するスイッチ操作が行われたか）をチェックし（ステップＳ１０８）、操作されていないときには、操作部２０の液晶ディスプレイ２５に第２位置への移動を指示する操作手順を示すメッセージの表示して（ステップＳ１０９）、操作部２０の第２位置移動キー２３が操作されると、まず、原稿読取部３の第１位置から第２位置への移動範囲に障害物があるか否かを障害物検知センサの検知結果で判別する（ステップＳ１１０）。
【００６９】
ステップＳ１１０で、原稿読取部３の第１位置から第２位置への移動範囲に障害物があるときには、複写装置１は、操作パネル３０の移動禁止ランプ３２を点灯させるとともに、操作部２０の液晶ディスプレイ２５に、例えば、図９に示したように、「障害物があるため移動を禁止します」等のメッセージの表示を行う（ステップＳ１１１）。
【００７０】
ステップＳ１１０で、原稿読取部３の第１位置から第２位置への移動範囲に障害物がないときには、複写装置１は、原稿読取部３の第２位置への移動を開始し（ステップＳ１１２）、アーム支持部１１を移動枠１０内で、下方に移動させて、原稿読取部３が第２位置に移動したかを位置検知センサの検出結果で判断する（ステップＳ１１３）。
【００７１】
ステップＳ１１３で、第２位置への移動が完了していない間は、操作パネル３０の移動中ランプ３３を点灯させるとともに、操作部２０の液晶ディスプレイ２５に移動中であることを示す表示、例えば、図１０に示したように、「ただいま移動中です」の表示を行う（ステップＳ１１４）。また、このとき、原稿読取部３が第２位置に移動しても、操作部３０の位置固定させるためのボタンの操作、例えば、第２位置移動キー２３の再操作が行われないうちは、第２位置への移動が未完了であるとして、上記移動中ランプ３３の点灯と液晶ディスプレイ２５への移動中の表示を行う。
【００７２】
ステップＳ１１３で、原稿読取部３が第２位置へ移動し、位置固定させるためのボタンの操作、例えば、第２位置移動キー（固定指示手段）２３の再操作が行われると、複写装置１は、第２位置への移動が完了したとして、原稿読取部３の位置調整処理を終了し、その後、操作部２０の操作に応じて、通常の複写装置１としての処理を行う。
【００７３】
なお、第１位置から第２位置に移動中の任意の位置で、第２位置移動キー２３が再操作されると、当該操作されたときの位置で、原稿読取部３の移動を停止させて、位置固定する。
【００７４】
このように、本実施例の複写装置１は、第１位置から第２位置までの間の任意の位置を指定する第２位置移動キー２３を操作部２０に設け、移動機構１６を、原稿読取部３を第１位置から第２位置の間を自動で移動させる機能を備えたものとし、当該第２位置移動キー２３で指定された位置に原稿読取部３を移動させている。
【００７５】
したがって、車椅子４０等を利用した操作者Ｐがより一層容易に操作できるようにすることができ、より一層利用性を向上させることができるとともに、複写装置１を安価で小型なものとすることができる。
【００７６】
なお、複写装置１は、原稿読取部３が第２位置に移動した後、または、移動途中で、操作部２０の復帰キー２４が押されると、原稿読取部３を読取部台４上の位置に移動させる処理を行う。
【００７７】
したがって、原稿読取部３を通常操作位置である読取部台４上に簡単に復帰させることができ、利用性を向上させることができる。
【実施例３】
【００７８】
図１２及び図１３は、本発明の画像処理装置の第３実施例を示す図であり、図１２は、本発明の画像処理装置の第３実施例を適用した複写装置の操作部５０の概略平面図である。
【００７９】
なお、本実施例は、上記第１実施例の複写装置１と同様の複写装置に適用したものであり、本実施例の説明においては、必要に応じて、図示しない部分についても、上記第１実施例の説明で用いた符号をそのまま用いて説明する。
【００８０】
図１２において、操作部５０は、上記第２実施例と同様に、テンキー２１、スタートキー２２等の各種キーが設けられているとともに、位置指定手段としての上移動キー５１、下移動キー５２、停止キー５３及び復帰キー５４が設けられており、さらに、液晶ディスプレイ２５が設けられている。
【００８１】
操作部５０は、テンキー２１等の各種キーを用いて複写装置１に各種動作を行わせるのに必要な命令操作が行われ、液晶ディスプレイ２５には、各種キーから入力された操作内容や複写装置１から操作者に通知する各種情報を表示出力する。
【００８２】
そして、上移動キー５１は、原稿読取部３が第１位置に移動した後に上移動させるのに使用され、下移動キー５２は、原稿読取部３が第１位置に移動した後に下移動させるのに使用される。停止キー５３は、上移動キー５１または下移動キー５２で移動された原稿読取部３を停止させて固定させるのに使用され、復帰キー５４は、原稿読取部３を元の読取部台４上の位置に復帰させるのに使用される。
【００８３】
また、複写装置１は、上記第２実施例の場合と同様に、図示しないが、本体部２と原稿読取部３に障害物検知センサが取り付けられており、原稿読取部３の移動範囲に障害物があるか否かを検出して、障害物検知センサが障害物を検出すると、原稿読取部３の移動を禁止する。
【００８４】
さらに、複写装置１は、本体部２に原稿読取部３の位置を検出する位置検知センサが取り付けられており、この位置検知センサの検出結果で、原稿読取部３の位置、特に、第１位置への移動を検出する。
【００８５】
上記障害物検知センサ及び位置検知センサとしては、例えば、光検知センサや圧力センサ等を用いることができる。
【００８６】
そして、本実施例の複写装置１は、図１３に示すように、操作パネル３０のスイッチ３１の操作が行われることなく、操作部等で何らかの操作が行わると（ステップＳ２０１）、操作者は車椅子等の使用者等ではなく、健常者であると見なして、通常の動作処理を行う（ステップＳ２０２）。
【００８７】
ステップＳ２０１で、操作パネル３０のスイッチ３１が操作されると、複写装置１は、障害物検知センサの検出結果から原稿読取部３の移動範囲に障害物があるか判断し（ステップＳ２０３）、障害物があるときには、操作パネル３０の移動禁止ランプ３２を点灯させるとともに、操作部２０の液晶ディスプレイ２５に、例えば、図９に示したように、「障害物があるため移動を禁止します」等のメッセージの表示を行う（ステップＳ２０４）。
【００８８】
障害物が取り除かれるか、障害物が最初からなく、ステップＳ２０３で、移動範囲に障害物がないときには、複写装置１は、原稿読取部３の第１位置への移動を開始し（ステップＳ２０５）、まず、アーム支持部１１を移動枠１０内で、上方に移動させて、操作部２０が一体となっている原稿読取部３を読取部台４上から上方に持ち上げ、次に、回転部１２を図示しない駆動モータ等で回転駆動させて、原稿読取部３を支持するアーム１３を真上の位置から複写装置１の正面方向に回転させ、原稿読取部３を、複写装置１の正面方向に移動させる。
【００８９】
複写装置１は、アーム１３が水平となる位置を第１位置として、当該第１位置への原稿読取部３の移動が完了したかを、位置検知センサの検出結果で判断し（ステップＳ２０６）、第１位置への移動が完了していない間は、操作パネル３０の移動中ランプ３３を点灯させるとともに、操作部２０の液晶ディスプレイ２５に移動中であることを示す表示、例えば、図１０に示したように、「ただいま移動中です」の表示を行う（ステップＳ２０７）。
【００９０】
ステップＳ２０６で、原稿読取部３の第１位置への移動が完了すると、複写装置１は、続いて、原稿読取部３の第２位置への移動を開始し、アーム支持部１１を移動枠１０内で、下方に移動させて、原稿読取部３が第２位置に移動したかを位置検知センサの検出結果で判断する（ステップＳ２０８）。
【００９１】
ステップＳ２０８で、第２位置への移動が完了していない間は、操作パネル３０の移動中ランプ３３を点灯させるとともに、操作部２０の液晶ディスプレイ２５に移動中であることを示す表示、例えば、図１０に示したように、「ただいま移動中です」の表示を行う（ステップＳ２０９）。
【００９２】
ステップＳ２０９で、原稿読取部３が第２位置へ移動すると、図１３には図示しないが、操作部５０の上移動キー５１、下移動キー５２、停止キー５３及び復帰キー５４が操作されるかチェックし、上移動キー５１、下移動キー５２、停止キー５３及び復帰キー５４のいずれかが操作されると、当該キーに対応する処理を行う。
【００９３】
例えば、上移動キー５１が操作されると、原稿読取部３を上方向に移動させ、下移動キー５２が操作されると、原稿読取部３を下方向に移動させる。そして、停止キー５３が操作されると、原稿読取部３の移動を停止させて、当該位置に原稿読取部３を固定し、復帰キー５４が操作されると、原稿読取部３を元の読取部台４上の位置に復帰させる。
【００９４】
このように、本実施例の複写装置１は、第１位置から第２位置までの間の任意の位置を指定する上移動キー５１、下移動キー５２及び停止キー５３を操作部５０に設け、移動機構１６を、原稿読取部３を第１位置から第２位置の間を自動で移動させる機能を備えたものとし、当該上移動キー５１、下移動キー５２及び停止キー５３で指定された位置に原稿読取部３を移動させている。
【００９５】
したがって、車椅子４０等を利用した操作者Ｐがより一層容易に操作できるようにすることができ、より一層利用性を向上させることができるとともに、複写装置１を安価で小型なものとすることができる。
【００９６】
以上、本発明者によってなされた発明を好適な実施例に基づき具体的に説明したが、本発明は上記のものに限定されるものではなく、その要旨を逸脱しない範囲で種々変更可能であることはいうまでもない。
【００９７】
例えば、上記各実施例においては、原稿読取部３を上下移動させる移動機構１６として、原稿読取部３を支持するアーム１３の取り付けられているアーム支持部１１を移動枠１０内で移動させることで、原稿読取部３を上下移動させるものを用いているが、原稿読取部３を上下移動させる移動機構としては、上記構成のものに限るものではなく、例えば、アーム１３を伸縮可能とし、当該アーム１３を本体部２の両側面の下部に取り付けて、アーム１３を回動させるとともに、アーム１３を伸縮させることで、原稿読取部３を上下移動させるものであってもよい。
【産業上の利用可能性】
【００９８】
操作者の身長や車椅子使用の有無等の身体状況に応じて最適な作業位置に原稿読取部と操作部を移動させる画像処理装置一般に適用できる。
【図面の簡単な説明】
【００９９】
【図１】本発明の画像処理装置の第１実施例を適用した複写装置の外観正面図。
【図２】図１の複写装置の側面図。
【図３】図２の複写装置の操作パネルの拡大正面図。
【図４】図１の複写装置の原稿読取部を上方向に移動させている状態の側面図。
【図５】図４の複写装置の原稿読取部を正面方向に回転させて第１位置に移動させている状態の説明図。
【図６】図５の第１位置に移動した原稿読取部を操作者が第２位置に移動操作している状態の説明図。
【図７】本発明の画像処理装置の第２実施例を適用した複写装置の操作部の概略平面図。
【図８】図７の複写装置による原稿読取部移動調整処理を示すフローチャート。
【図９】図８の原稿読取部移動調整処理で移動範囲に障害物があるために移動禁止した旨を表示する操作部の液晶ディスプレイの平面図。
【図１０】図８の原稿読取部移動調整処理で原稿操作部が移動中である旨を表示する操作部の液晶ディスプレイの平面図。
【図１１】図８の原稿読取部移動調整処理で原稿操作部の位置固定を促す旨を表示する操作部の液晶ディスプレイの平面図。
【図１２】本発明の画像処理装置の第３実施例を適用した複写装置の操作部の概略平面図。
【図１３】図１２の複写装置による原稿読取部移動調整処理を示すフローチャート。
【符号の説明】
【０１００】
１  複写装置
２  本体部
３  原稿読取部
４  読取部台
５  回転支持部
６  給紙部
６ａ〜６ｃ  給紙トレイ
７  画像形成部
８  ＡＤＦ
１０  移動枠
１１  アーム支持部
１２  回転部
１３  アーム
１４  回転部
１５  読取部支持部
１６  移動機構
２０  操作部
２１  テンキー
２２  スタートキー
２３  第２位置移動キー
２４  復帰キー
２５  液晶ディスプレイ
３０  操作パネル
３１  スイッチ
３２  移動禁止ランプ
３３  移動中ランプ
４０  車椅子
Ｐ  操作者
５０  操作部
５１  上移動キー
５２  下移動キー
５３  停止キー
５４  復帰キー
【図１】
2005086751.tif 000003
【図２】
2005086751.tif 000004
【図３】
2005086751.tif 000005
【図４】
2005086751.tif 000006
【図５】
2005086751.tif 000007
【図６】
2005086751.tif 000008
【図７】
2005086751.tif 000009
【図８】
2005086751.tif 000010
【図９】
2005086751.tif 000011
【図１０】
2005086751.tif 000012
【図１１】
2005086751.tif 000013
【図１２】
2005086751.tif 000014
【図１３】
2005086751.tif 000015